(57)【特許請求の範囲】
【請求項１】
背もたれが移動される座席家具において、支持体に連結される下部フレームと；上下変位発生手段を媒介に前記下部フレームと連結される上部フレームと；前記下部フレームと上部フレームとの間に設置される一つ以上の弾性体と；上部フレームの左右側端部に形成され、背もたれフレームと連結されて前後方向に移動する前後移動手段と；上部フレームに結合されるシート部に荷重が付加されると、前記上部フレームの下降による変位が前後移動手段で直線運動に転換されて、前記背もたれフレームが前進される動力生成部と；シート部に荷重が作用する場合には、背もたれフレームが前方のみに移動可能なハフロック（ｈａｌｆ−ｌｏｃｋ）状態になり、シート部に作用された荷重が除去されると、背もたれフレームが後方に移動されることができるアンロック（ｕｎｌｏｃｋ）状態になるスイッチング部と；を含み、
前記動力生成部は、下部フレームの上面に垂直方向に設置される垂直ラックギアと；上部フレームに結合されるギアボックスと；前記ギアボックスの下部側に設置される第１シャフトに結合されて、前記垂直ラックギアと噛み合うピニオンギアと；前記ピニオンギアと隣接して前記第１シャフトに結合される垂直ベベルギアと；前記ギアボックスの内部に水平方向に設置され、下部面に前記垂直ベベルギアと連結される水平ベベルギアが結合されて回転されるスパーギアと；背もたれ下部側に結合され、前記スパーギアと噛み合って背もたれフレームに動力を伝達する水平ラックギアと；を含むことを特徴とする背もたれが移動される座席家具。
【請求項２】
前記上下変位発生手段は、前記下部フレームと上部フレームとを連結して直線運動する複数の垂直スライドまたは折り畳まれる複数のリンクプレートからなることを特徴とする請求項１に記載の背もたれが移動される座席家具。
【請求項３】
前記動力生成部は、スパーギアの一側にストップレバーと連結されて選択的にスパーギアと結合または解除されるストッパが備えられることを特徴とする請求項１に記載の背もたれが移動される座席家具。
【請求項４】
前記スイッチング部は、シート部での荷重有無によって回動方向が変化されるように、前記上部フレームの内部に前後方向に結合される回動ラッチと；背もたれフレーム下部面で連結され、制限された角度範囲内で回転動作されることができ、前記回動ラッチに対して選択的に結合または分離するラッチフックと；を含むことを特徴とする請求項１〜３の中の何れか一項に記載の背もたれが移動される座席家具。
【請求項５】
前記背もたれが移動される座席家具は、シート部は上部フレームの後端部を固定部にして上下に動くことができ、前記シート部の前方側端部下部面に前記回動ラッチの前端部と連結されるプッシャーが形成されて前記シート部の動きによって回動ラッチの回動動作が可能になるように構成されることを特徴とする請求項４に記載の背もたれが移動される座席家具。
【請求項６】
前記プッシャーは、シート部の下部面を向ける上部プッシャーと；上端部は上部プッシャーの下部側を通じて挿入されて動くことができ、下端部は前記回動ラッチと結合される下部プッシャーと；前記上部プッシャーと下部プッシャーとの間に設置されるコイルスプリングと；で構成されることを特徴とする請求項５に記載の背もたれが移動される座席家具。
【請求項７】
前記スイッチング部は、回動ラッチとラッチフックとの間に前後方向に穿孔されたスロットが形成されるラッチガイドが備えられ、前記ラッチフックには隔離距離を有して突出される二つの制限ピンが形成され、前記ラッチフックが前記スロットを通過するように設置され、二つの制限ピンによって拘束される状態を構成して前記ラッチフックの回動角度が制限されることができるようにすることを特徴とする請求項４に記載の背もたれが移動される座席家具。
【請求項８】
前記スイッチング部は、回動ラッチの前方端部を押して回動ラッチをアンロック状態に調整することができる解除レバーが備えられることを特徴とする請求項４に記載の背もたれが移動される座席家具。
【発明の詳細な説明】
【技術分野】
【０００１】
本発明は座席家具に関し、特に正しい姿勢で着席することができるように座席家具の背もたれが常に着用者の背中部分を支えることができるようにする技術に関する。
【背景技術】
【０００２】
椅子やソファ−のような座席家具に座って生活する時間が大部分を占める関係から、誤った着席姿勢によって苦痛を経験する人々が増えている。このような問題点の原因は人々が座席家具に座る時背もたれに腰と尻を密着させないで、腰を曲げたまま座るために発生される。
【０００３】
これに関して背もたれが移動して背中部分を支えることができる椅子が複数開示され、代表的なものとして、本発明者による大韓民国特許出願番号第１０−２００７−００６０５３３号の技術がある。
【０００４】
前記技術は、人がシート部に座ると、その荷重によって駆動力が発生されて背もたれが前進することによって、背もたれが背中部分に密着されることができるようにしたもので、このような動作を具現するための構成が上下方向で占める高さが長くて多様な椅子に適用されるのに限界があり、椅子の見掛けを改善するのに制約があった。また、構造的な安全性も低下して耐久性に問題になる虞があるため改善の必要性があった。
【発明の概要】
【発明が解決しようとする課題】
【０００５】
従って、本発明では、よりコンパクトで、且つ構造的にさらに安定的で多様な座席家具に適用されることができる背もたれが移動される座席家具を提供することを目的とする。
【課題を解決するための手段】
【０００６】
前記目的を達するために、本発明は背もたれが移動される座席家具において、支持体に連結される下部フレームと；上下変位発生手段を媒介に前記下部フレームと連結される上部フレームと；前記下部フレームと上部フレームとの間に設置される一つ以上の弾性体と；上部フレームの左右側端部に形成され、背もたれフレームと連結されて前後方向に移動する前後移動手段と；上部フレームに結合されるシート部に荷重が付加されると、前記上部フレームの下降による変位が前後移動手段で直線運動に転換されて、前記背もたれフレームが前進される動力生成部と；シート部に荷重が作用する場合には、背もたれフレームが前方のみに移動可能なハフロック（ｈａｌｆ−ｌｏｃｋ）状態になり、シート部に作用された荷重が除去されると、背もたれフレームが後方に移動されることができるアンロック（ｕｎｌｏｃｋ）状態になるスイッチング部と；を含むことを特徴とする背もたれが移動される座席家具を提案する。
【０００７】
好ましくは、前記上下変位発生手段は、前記下部フレームと上部フレームとを連結して直線運動する複数の垂直スライドまたは折り畳まれる複数のリンクプレートからなることを特徴とする背もたれが移動される座席家具を提案する。
【０００８】
好ましくは、前記動力生成部は、下部フレームの上面に垂直方向に設置される垂直ラックギアと；上部フレームに結合されるギアボックスと；前記ギアボックスの下部側に設置される第１シャフトに結合されて、前記垂直ラックギアと噛み合うピニオンギアと；前記ピニオンギアと隣接して前記第１シャフトに結合される垂直ベベルギアと；前記ギアボックスの内部に水平方向に設置され、下部面に前記垂直ベベルギアと連結される水平ベベルギアが結合されて回転されるスパーギアと；背もたれ下部側に結合され、前記スパーギアと噛み合って背もたれフレームに動力を伝達する水平ラックギアと；を含むことを特徴とする背もたれが移動される座席家具を提案する。
【０００９】
好ましくは、前記動力生成部は、スパーギアの一側にストップレバーと連結されて選択的にスパーギアと結合または解除されるストッパが備えられることを特徴とする背もたれが移動される座席家具を提案する。
【００１０】
好ましくは、前記スイッチング部は、シート部での荷重有無によって回動方向が変化されるように、前記上部フレームの内部に前後方向に結合される回動ラッチと；背もたれフレーム下部面で連結され、制限された角度範囲内で回転動作されることができ、前記回動ラッチに対して選択的に結合または分離されるラッチフックと；を含むことを特徴とする背もたれが移動される座席家具を提案する。
【００１１】
好ましくは、前記背もたれが移動される座席家具は、シート部は上部フレームの後端部を固定部にして上下に動くことができ、前記シート部の前方側端部下部面に前記回動ラッチの前端部と連結されるプッシャーが形成されて前記シート部の動きによって回動ラッチの回動動作が可能になるように構成されることを特徴とする背もたれが移動される座席家具を提案する。
【００１２】
好ましくは、前記プッシャーは、シート部の下部面を向ける上部プッシャーと；上端部は上部プッシャーの下部側を通じて挿入されて動くことができ、下端部は前記回動ラッチと結合される下部プッシャーと；前記上部プッシャーと下部プッシャーとの間に設置されるコイルスプリングと；で構成されることを特徴とする背もたれが移動される座席家具を提案する。
【００１３】
好ましくは、前記スイッチング部は、回動ラッチとラッチフックとの間に前後方向に穿孔されたスロットが形成されるラッチガイドが備えられ、前記ラッチフックには隔離距離を有して突出される二つの制限ピンが形成され、前記ラッチフックが前記スロットを通過するように設置され、二つの制限ピンによって拘束される状態を構成して前記ラッチフックの回動角度が制限されることができるようにすることを特徴とする背もたれが移動される座席家具を提案する。
【００１４】
さらに好ましくは、前記スイッチング部は、回動ラッチの前方端部を押して回動ラッチをアンロック状態に調整することができる解除レバーが備えられることを特徴とする背もたれが移動される座席家具を提案する。
【発明の効果】
【００１５】
本発明による背もたれが移動される座席家具は、基本的には、着席の時、背もたれが自動的に前進されて使用者の背中部分を支えて正しい姿勢を保持できるようにする効果を奏し、同時に、コンパクトに構成されることができて、事務用椅子の他にも学生用教室椅子のような多様な椅子やソファ−または汽車や航空機用椅子などに用いられるのに適合するという效果を奏する。
【図面の簡単な説明】
【００１６】
【図１】本発明の第１実施形態による座席家具の概略的な部分斜視図である。
【図２】正面から見た部分断面図である。
【図３】側面から見た断面図である。
【図４】平面図である。
【図５】下部フレームを含む一部構成要素を示す部分斜視図である。
【図６】本実施形態に用いられる前後移動手段を示す断面図である。
【図７】動力生成部の主要部分を示す部分斜視図である。
【図８】スイッチング部の結合状態を示す主要部分の斜視図である。
【図９】第２実施形態による椅子の概略的な断面図である。
【図１０】リンクプレートの構造を示す概略的な側面図である。
【発明を実施するための形態】
【００１７】
以下、本発明による背もたれが移動される座席家具（以下、座席家具と称する）ついて具体的な実施形態を通じて詳しく説明する。本技術に対してより明確に理解することができるように、好ましい実施形態に係わる添付図面を参考に提供する。ただ、提示される図面などは本発明の技術的思想によって具現された一つの例に過ぎず、他人による単純な設計変更を加えた実施や一部構成要素の等価的な要素への代替のような実施も本発明の技術的範囲に属するものと理解すべきである。
【００１８】
＜第１実施形態＞
まず、第１実施形態による座席家具を説明し、図１はこれに対する概略的な部分斜視図を示す。第１実施形態では、一般的な事務用椅子のようなものに本発明の技術が適用される場合を示す。そして、図２は正面から見た部分断面図であり、図３は側面から見た断面図であり、図４は平面図に対応する。
【００１９】
椅子を構成するシート部１０に使用者が着席する時、背もたれ２０が自動的に前進されて使用者の背中部位を支持することができるようにするための方案として、大体下部フレーム１００、上部フレーム２００、上下変位発生手段３００、弾性体４００、前後移動手段５００、背もたれフレーム６００、動力生成部７００、スイッチング部８００を含む。
【００２０】
前記下部フレーム１００は支持体３０に固定連結される部位であり、ここでの支持体３０とは、主に椅子の足部を含む下部側を意味する。前記支持体３０は座席家具の種類によってその形状や機能が異なることができ、本実施形態の事務用椅子の場合には、支持体部位自体の高さも変化されることができるものが多い。即ち、使用者の身長を考慮して、必要によって支持体部位の長さを可変させることができるようにする。このような支持体の高さ調節に関する技術は公知の技術に該当する。
【００２１】
図５は下部フレームを含む一部構成要素を示す部分斜視図であり、図示したように、支持体３０の上端部に下部フレーム１００が連結設置され、下部フレーム１００の左右側面に上下変位発生手段３００が設置される。そして前記上下変位発生手段３００を媒介にして下部フレーム１００の上側に上部フレーム２００が位置される。本実施形態における上下変位発生手段３００は固定された下部フレーム１００に対して上部フレーム２００が垂直に動くことができ、レールに沿って複数のボールが転がり運動しながら直線運動ができるものを使っている。直線スライディング運動ができるものであれば、ＬＭガイドを含めたものなどが用いられることができる。本実施形態で用いられる上下変位発生手段を上下スライダとも呼ばれる。これは後述する前後移動手段と同じ構成からなる。
【００２２】
前記下部フレーム１００と上部フレーム２００との間には反発力を提供することができる一つ以上の弾性体４００が設置され、好ましくはコイルスプリングを用いることができる。即ち、前記弾性体４００はシート部１０に人が座ると、上部フレーム２００が下降されながら弾性体４００が収縮されて反発力が保存され、荷重が除去されると、弾性体４００が復元されながら上部フレーム２００を押し上げる。
【００２３】
シート部１０に荷重が作用される場合、背もたれフレーム６００が直線運動しながら前へ進む。前記背もたれフレーム６００の直線移動のための前後移動手段５００が備えられる。前記前後移動手段５００は上部フレーム２００の左右側の内側端部に前後方向に設置され、前記背もたれフレーム６００と連結される構造を構成する。前記前後移動手段５００としては直線運動ができるものであれば構わず、本実施形態では上述した上下変位発生手段３００のような形式のものを用いる。
【００２４】
図６は本実施形態に用いられる前後移動手段５００を示す断面図で、上下変位発生手段３００もその長さの相違を除いて同じ構成からなる。図示したように、前記前後移動手段５００は上部フレーム２００に固定される固定レール５１０が備えられる。前記固定レール５１０は上部フレーム２００の前後方向の長さに対応する長さを有する。また、前記固定レール５１０の内側面には固定レール５１０よりは長さが短い中間レール５２０が形成され、前記中間レール５２０の内部に可動レール５３０が結合される。一方、前記中間レール５２０には複数のボール５４０が挟まれており、前記ボール５４０は固定レール５１０及び可動レール５３０と接触される状態で転がり運動をする。一方、可動レール５３０に結合されるブラケット５３１に上部フレーム２００が連結されて後述する動力生成部７００による動力で背もたれフレーム６００が直線運動することができる。即ち、背もたれフレーム６００が前後方向に直線運動する時には固定レール５１０に対して中間レール５２０及び可動レール５３０が同時に動き、特に前記可動レールは中間レールの移動量より多い移動距離を有する。このようなメカニズムを示す前後移動手段は購買品として公知された技術に該当する。
【００２５】
次に動力生成部７００について説明する。図７は動力生成部の主要部分を示す部分斜視図に対応する。
【００２６】
前記動力生成部７００では、上部フレーム２００に結合されるシート部１０に荷重が作用されて、上部フレーム２００が下降されるによる変位を利用して前後移動手段５００で直線運動に転換されることができるように機能し、これを通じて背もたれフレーム６００が前進できるようにする部位になる。
【００２７】
より具体的に前記動力生成部７００の構造について説明する。
【００２８】
前記動力生成部７００を構成する主な構成要素として、垂直ラックギア７１０、ギアボックス７２０、ピニオンギア７３０、垂直ベベルギア７４０、水平ベベルギア７５０、スパーギア７６０、水平ラックギア７７０とを含み、前記垂直ラックギア７１０は下部フレーム１００の上面に垂直方向に設置され、後述するピニオンギア７３０が噛み合う。一方、上部フレーム２００にギアボックス７２０が設置され、ギアボックス７２０を構成する下部側に水平方向に第１シャフトｓ１が設置され、前記第１シャフトｓ１にピニオンギア７３０及び垂直ベベルギア７４０が設置される。前記ピニオンギア７３０は前記垂直ラックギア７１０と噛み合い、前記ピニオンギア７３０と垂直ベベルギア７４０は一体になって回転されることができる。
【００２９】
そして、前記垂直ベベルギア７４０より上側にギアボックス７２０の内部に水平方向に設置されたスパーギア７６０が回転可能に設置され、前記スパーギア７６０の下部面に垂直ベベルギア７４０と連結される水平ベベルギア７５０が結合される。上述したような結合関係を通じて、上部フレーム２００が下降されると、ピニオンギア７３０が垂直ラックギア７１０に沿って回転され、その回転力は垂直ベベルギア７４０を通じて水平ベベルギア７５０に伝達され、スパーギア７６０が回転する。
【００３０】
前記上部フレーム２００の下降による変位によって発生される動力で前記スパーギア７６０が回転され、スパーギア７６０の回転力を背もたれフレーム６００に伝達するためのもので、水平ラックギア７７０がさらに備えられる。前記水平ラックギア７７０は背もたれフレーム６００の下部側でその上端部が結合され、前後方向に配置されてスパーギア７６０の回転動作によって直線運動して背もたれフレーム６００が移動されることができる。さらに好ましくは、前記水平ラックギア７７０がスパーギア７６０で正確に噛み合うことができるようにするために、ギアボックス７２０の上部面の一側に前記水平ラックギア７７０の外側面（歯が形成された反対面）が接触されて回転されるガイドローラー７８０を設ける。比較的に長さが長く形成される水平ラックギア７７０がスパーギア７６０と噛み合う地点で前記ガイドローラー７８０によって支持されることによって、スパーギア７６０と水平ラックギア７７０との間が正確に噛み合うことができて円滑に動力を伝達することができる。
【００３１】
さらに好ましくは、前記動力生成部７００に前記スパーギア７６０の回転を強制的に遮断して、背もたれフレーム６００をある位置に固定させることができるストッパ７９０を設ける。前記ストッパ７９０はストップレバー７９１と連結されて、ストップレバー７９１の操作でスパーギア７６０と結合されたり、結合が解除されることができる。即ち、前記ストッパ７９０がスパーギア７６０と噛み合うと、シート部１０に作用された荷重が除去されても背もたれフレーム６００は後退しないで、移動された位置に止まることができる。前記ストッパ７９０は、図示したように、ギアボックス７２０の一側に回動可能に連結され、ストップレバー７９１の端末と結合されて、ストップレバー７９１を昇降することによってスパーギア７６０と遮断される。
【００３２】
本実施形態では、前記動力生成部を構成するにおいて複数のギアを利用して構成したが、その外にもベルトやチェーンを利用して構成させることもできることは自明である。
【００３３】
次に、スイッチング部８００について説明する。図８はスイッチング部の結合状態を示す主要部分の斜視図に該当し、図２乃至図４とともに参照する。
【００３４】
前記スイッチング部８００は、使用者がシート部１０に着席する場合のように、前記シート部に荷重が作用する状態では背もたれフレーム６００が前方のみに移動可能なハフロック（ｈａｌｆ−ｌｏｃｋ）状態になり、シート部１０の作用荷重が完全に除去されると、背もたれフレーム６００が後方に移動されることができるようにアンロック（ｕｎｌｏｃｋ）状態に転換されることができるように機能する。即ち、使用者がシート部１０に座ると、上述した動力生成部７００によって背もたれフレーム６００は前進するが、この時スイッチング部８００は背もたれフレーム６００の前進移動に対しては何らの制限もしない。背もたれフレーム６００が使用者の背中部位に触れると、背もたれフレーム６００が現位置から後方に後退できないように後方への動きを制限する。このような状態をハフロック（ｈａｌｆ−ｌｏｃｋ）状態と言うことができ、使用者が着席している間、体を動いたり一時的に荷重が減少されても背もたれフレーム６００が急に後退されるような現象を防止することができる。
【００３５】
一方、使用者が着席してから椅子から立ち上がると、シート部１０に作用する外力がゼロ状態になるので上部フレーム２００は上昇され、これによって動力生成部７００では背もたれフレーム６００が後退されることができる力を生成させる。これにより背もたれフレーム６００は最初の位置で後退移動されなければならないので、スイッチング部８００では背もたれフレーム６００の後退移動を全く制限しないようにアンロック（ｕｎｌｏｃｋ）状態にならなければならない。
【００３６】
前記スイッチング部８００のより具体的な構成を説明すれば、回動ラッチ８１０とラッチフック８２０とを含み、前記回動ラッチ８１０は上部フレーム２００の内部に前後方向に回動可能な形態に設置される。図示したように、回動ラッチ８１０は上部フレーム２００の何れか一側端部に設置される前後移動手段５００と平行するように設置され、前後両端部で回動可能に支持される。前記回動ラッチ８１０はシート部１０に荷重が作用すると内側方向に回動され、荷重が除去されると、外側に回動する動きを有する。
【００３７】
ラッチフック８２０は背もたれフレーム６００の下部面で連結され、制限された角度範囲内で回転動作できるように設置されて、前記回動ラッチ８１０に結合されたり分離されることによって、背もたれフレーム６００の前進移動や後退移動若しくは後退移動を制限できるように機能する。図示したように、ラッチフック８２０は鋸歯型の回動ラッチ８１０に噛み合うことができるように先が尖っており、回動ラッチ８１０にラッチフック８２０が噛み合うと、背もたれフレーム６００は後退されなくなる。
【００３８】
前記回動ラッチ８１０はシート部１０に荷重が作用する場合と作用しない場合によって、回動方向が決まることは説明した通りであり、より具体的に前記回動ラッチ８１０とシート部１０との関係について説明する。
【００３９】
本実施形態では、シート部１０の後端部を上部フレーム２００の後端と結合させるようにする。シート部１０の前端部は上下に動くことができる。従って、シート部１０に使用者が座ると、シート部の前端部は下方へ押されながら下方に動く。このようなシート部１０の前方側端部下部面に前記回動ラッチ８１０の前端部と連結されるプッシャー８３０を備えることによって、前記シート部１０の動きによって回動ラッチ８１０の回動方向が決まることができる。
【００４０】
回動ラッチ８１０と連結されるプッシャー８３０のより具体的な構造は以下の通りである。
【００４１】
前記プッシャー８３０は上部プッシャー８３１と下部プッシャー８３２とからなり、前記上部プッシャー８３１と下部プッシャー８３２との間にコイルスプリング８３３が設置される。前記上部プッシャー８３１の上端部はシート部１０の下部面を向けるようになり、上部プッシャー８３１の下端部に下部プッシャー８３２の上端部が挿入されて動くことができる構造を成し、下部プッシャー８３２の下端部は回動ラッチ８１０の前端部と連結される。即ち、上部プッシャー８３１に下部プッシャー８３２の上端部が挿入された状態を構成し、その間にはコイルスプリング８３３が設置される。シート部１０に荷重が作用すると、上部プッシャー８３１が加圧されて下方へ動くようになり、この時コイルスプリング８３３を通じて力が伝達されて下部プッシャー８３２が加圧されながら回動ラッチ８１０を内側方向に回動させる。前記回動ラッチ８１０が内側に回動されると、スイッチング部８００はハフロック（ｈａｌｆ−ｌｏｃｋ）状態になり、ラッチフック８２０は回動ラッチ８１０に噛み合わないので、背もたれフレーム６００は前方に移動されることができる。一方、背もたれフレーム６００が前方に移動した後、一時的に位置が固定される場合には、ラッチフック８２０が回動ラッチ８１０に噛み合った状態で保持されながら背もたれフレーム６００の後方への移動を制限する。
【００４２】
前記スイッチング部８００を構成するラッチフック８２０は制限された角度範囲内で回動される時、回動ラッチ８１０とラッチフック８２０の端末部が結合可能な位置に位置するようになる。このために、本実施形態では、回動ラッチ８１０とラッチフック８２０の設置位置の間に穿孔されたスロット８４１を有するラッチガイド８４０を設ける。前記ラッチガイド８４０は上部フレーム２００に設置され、前記スロット８４１にはラッチフック８２０が部分的に挿入される形態に設置される。特に、前記ラッチフック８２０には端末付近に一つの制限ピン８２１が形成され、これと隔離してもう一つの制限ピン８２１が突出して形成される。前記二つの制限ピン８２１によってラッチフック８２０は制限された範囲で回動されることができ、スロット８４１の左右側に一つずつの制限ピン８２１が配置される。
【００４３】
さらに好ましくは、前記スイッチング部８００を構成するにおいては、回動ラッチ８１０を必要によってアンロック状態に調整して、背もたれフレーム６００の位置を椅子に座った状態でも微細に調整することができるようにする。このために、前記回動ラッチ８１０の前端端部を押して外側に回動されるようにする解除レバー８５０を設ける。椅子に人が座ったまま回動ラッチ８１０を外側に動かすことができることはプッシャー８３０の構造によって達成される。即ち、既に言及されたプッシャー８３０は、コイルスプリング８３３を挟んで上部プッシャー８３１と下部プッシャー８３２とを備え、下部プッシャー８３２は上部プッシャー８３１に挿入されて動くことができる構造であるので、解除レバー８５０を動きによってコイルスプリング８３３を圧縮されるようにすれば下部プッシャー８３２が固定された上部プッシャー８３１に沿って上昇されるので回動ラッチ８１０の調整が可能になる。
【００４４】
＜第２実施形態＞
次に、本発明の第２実施形態について説明する。本実施形態では学校のような教室で学生が使用することができる椅子に本発明の技術が適用される場合を示す。
【００４５】
第１実施形態と異なって、下部フレーム１００が固定設置される支持体３０の形状及び下部フレームの形状に差があり、特に上部フレーム２００と下部フレーム１００を連結する上下変位発生手段３００は複数の折り畳まれるリンクプレート３００ａで構成することに特徴がある。図９は第２実施形態による椅子の概略的な断面図であり、図１０はリンクプレートの構造を示す概略的な側面図である。
【００４６】
図示したように、前記リンクプレート３００ａは上部フレーム２００と下部フレーム１００とを安定的に連結させることができるように４方向に形成され、コ字状のプレート単位体３１０を軸に連結させて、上部フレーム２００が下部フレーム１００に対して上下に動くことができるようにしている。プレート単位体３１０を連結させて上部フレーム及び下部フレームに拘束させるために┐字状の連結ブラケット３２０を上部フレーム２００及び下部フレーム１００に結合させ、軸を挿入してプレート単位体を連結させる。好ましくは最も上部に位置されるプレート単位体３１０のサイズが最も大きく、下部に行くほど小さくなって複数のプレート単位体３１０が干渉することなく折り畳まれることができるリンクプレート３００ａを構成する。その他背もたれフレームの移動関係は第１実施形態と同じであるので、これに対する説明は省略する。
【００４７】
本発明による背もたれが移動される座席家具は、既に説明した一般的な事務用椅子や学校教室用椅子に適用されることができるとともに、ソファ−にも適用されることができ、汽車や航空機用椅子としても用いられることができる。
【産業上の利用可能性】
【００４８】
本発明の座席家具はシート部に座るだけで自動的に背もたれが連結される背もたれフレームが前進されて、背中部位を支えるので、正しい姿勢を保持することができるようにする役割を果たすので、学生用椅子や事務用、家庭用椅子など全ての椅子類及びソファ−に利用されることができる技術である。さらに、本発明は具体的な用途においては、汽車用椅子や航空機用椅子などにも広く適用されることができることと期待される。
【符号の説明】
【００４９】
１０  シート部
２０  背もたれ
３０  支持体
１００  下部フレーム
２００  上部フレーム
３００  上下変位発生手段
３００ａ  リンクプレート
３１０  プレート単位体
３２０  連結ブラケット
４００  弾性体
５００  前後移動手段
５１０  固定レール
５２０  中間レール
５３０  可動レール
５４０  ボール
５３１  ブラケット
６００  背もたれフレーム
７００  動力生成部
７１０  垂直ラックギア
７２０  ギアボックス
７３０  ピニオンギア
７４０  垂直ベベルギア
７５０  水平ベベルギア
７６０  スパーギア
７７０  水平ラックギア
７８０  ガイドローラー
７９０  ストッパ
８００  スイッチング部
８１０  回動ラッチ
８２０  ラッチフック
８２１  制限ピン
８３０  プッシャー
８３１  上部プッシャー
８３２  下部プッシャー
８３３  コイルスプリング
８４０  ラッチガイド
８４１  スロット
８５０  解除レバー
【図１】
0005544009.tif 000002
【図２】
0005544009.tif 000003
【図３】
0005544009.tif 000004
【図４】
0005544009.tif 000005
【図５】
0005544009.tif 000006
【図６】
0005544009.tif 000007
【図７】
0005544009.tif 000008
【図８】
0005544009.tif 000009
【図９】
0005544009.tif 000010
【図１０】
0005544009.tif 000011